(57)【要約】【課題】昼夜にかかわらず、省電力化の更なる向上を果たすことが可能な電子装置を提供する。【解決手段】操作入力部１９の操作により液晶全省電力モードに対応する適応時間帯を入力設定することができ、計時部１２による計時時刻が該適応時間帯に入る間だけ、この適応時間帯に対応する液晶全省電力モードの設定を可能にしている。従って、適応時間帯として、携帯電話機が殆ど使用されない適応時間帯を入力設定しておけば、この適応時間帯には液晶全省電力モードが設定されることになり、携帯電話機の使い勝手を損なわずに、携帯電話機の大幅な省電力化を果たすことができる。液晶全省電力モードでは、ＬＣＤ１５が完全に停止され、バックライト１７が消灯される。【選択図】図１
2005309751.tif 000002
【特許請求の範囲】
【請求項１】
省電力モードを自動的に設定及び解除する電子装置において、
時刻を計時する計時手段と、
複数種類の省電力モードの少なくとも１つについて、省電力モードに対応する適応時間帯を入力する入力手段と、
各省電力モードを設定及び解除しており、計時手段による計時時刻が入力手段で入力された適応時間帯に入る間だけ、この適応時間帯に対応する省電力モードの設定を可能にする制御手段と
を備えることを特徴とする電子装置。
【請求項２】
表示装置を備え、
各省電力モードの１つは、表示装置の照明手段の減光もしくは消灯であることを特徴とする請求項１に記載の電子装置。
【請求項３】
表示装置を備え、
各省電力モードの１つは、表示装置の表示領域の削減であることを特徴とする請求項１に記載の電子装置。
【請求項４】
表示装置を備え、
各省電力モードの１つは、表示装置のオフであることを特徴とする請求項１に記載の電子装置。
【請求項５】
周囲の明暗を検出する明暗検出手段を備え、
制御手段は、明暗検出手段により暗いことが検出されると、計時手段による計時時刻が入力手段で入力された適応時間帯に入るか否かにかかわらず、この適応時間帯に対応する省電力モードの設定を可能にすることを特徴とする請求項１に記載の電子装置。
【請求項６】
電子装置の使用履歴に応じて、入力手段で入力された適応時間帯を変更する変更手段を備えることを特徴とする請求項１に記載の電子装置。
【請求項７】
撮影手段を備え、
制御手段は、撮影手段の起動時に、省電力モードの設定を禁止することを特徴とする請求項１に記載の電子装置。
【請求項８】
省電力モードを自動的に設定及び解除する電子装置の省電力制御方法において、
時刻を計時する計時ステップと、
複数種類の省電力モードの少なくとも１つについて、省電力モードに対応する適応時間帯を入力する入力ステップと、
各省電力モードを設定及び解除しており、計時ステップによる計時時刻が入力ステップで入力された適応時間帯に入る間だけ、この適応時間帯に対応する省電力モードの設定を可能にする制御ステップと
を含むことを特徴とする電子装置の省電力制御方法。
【請求項９】
請求項８に記載の電子装置の省電力制御方法を実施するためのプログラムを記録した記録媒体。
【発明の詳細な説明】
【技術分野】
【０００１】
本発明は、携帯情報端末装置（ＰＤＡ）や携帯電話機等の電子装置、電子装置の省電力制御方法、及びその方法を実施するためのプログラムを記録した記録媒体に関する。
【背景技術】
【０００２】
この種の電子装置においては、電源が電池であることから、常に、更なる省電力化が要求されている。例えば、特許文献１に記載の携帯無線電話装置では、液晶表示装置のバックライトとして用いられる複数の発光ダイオードの一部を消灯して、省電力化を図っている。また、夜と昼で、消灯する発光ダイオードの数を変化させている。
【０００３】
また、特許文献２に記載の電子時計では、例えば０時から６時の夜間だけ、表示部を停止して、省電力化を図っている。また、省電力モードを無効にするスイッチを設け、このスイッチが押されたときには、表示部による時刻の表示を維持している。
【特許文献１】特開平６−１２０８６４号公報
【特許文献２】特開２００１−２４９１９３号公報
【発明の開示】
【発明が解決しようとする課題】
【０００４】
ところで、特許文献１、２においては、夜間での装置の使用頻度が低いことを前提として、夜間での省電力を重点的に行なっていると考えられる。
【０００５】
しかしながら、多数のユーザによる多様な使用状況を想定すると、夜間に装置の使用頻度が低くなるとは限らず、ユーザによっては使用頻度が高くなることもある。この場合は、省電力が適時に行われないことになり、その効果が望めず、また装置の使い勝手も悪くなる。更に、省電力化が大幅に行われる程、使い勝手が益々悪くなる。
【０００６】
従って、多数のユーザにより利用される汎用の装置では、その様な夜間を特定して、省電力化を図ることは好ましくなく、大幅な省電力化を望むことも到底できなかった。
【０００７】
そこで、本発明は、上記従来の問題点に鑑みてなされたものであり、昼夜にかかわらず、省電力化の更なる向上を果たすことが可能な電子装置、電子装置の省電力制御方法、及びその方法を実施するためのプログラムを記録した記録媒体を提供することを目的とする。
【課題を解決するための手段】
【０００８】
上記課題を解決するために、本発明は、省電力モードを自動的に設定及び解除する電子装置において、時刻を計時する計時手段と、複数種類の省電力モードの少なくとも１つについて、省電力モードに対応する適応時間帯を入力する入力手段と、各省電力モードを設定及び解除しており、計時手段による計時時刻が入力手段で入力された適応時間帯に入る間だけ、この適応時間帯に対応する省電力モードの設定を可能にする制御手段とを備えている。
【０００９】
また、本発明においては、表示装置を備え、各省電力モードの１つは、表示装置の照明手段の減光もしくは消灯である。あるいは、各省電力モードの１つは、表示装置の表示領域の削減である。更には、各省電力モードの１つは、表示装置のオフである。
【００１０】
また、本発明においては、周囲の明暗を検出する明暗検出手段を備え、制御手段は、明暗検出手段により暗いことが検出されると、計時手段による計時時刻が入力手段で入力された適応時間帯に入るか否かにかかわらず、この適応時間帯に対応する省電力モードの設定を可能にしている。
【００１１】
更に、本発明においては、電子装置の使用履歴に応じて、入力手段で入力された適応時間帯を変更する変更手段を備えている。
【００１２】
また、本発明においては、撮影手段を備え、制御手段は、撮影手段の起動時に、省電力モードの設定を禁止している。
【００１３】
一方、本発明は、省電力モードを自動的に設定及び解除する電子装置の省電力制御方法において、時刻を計時する計時ステップと、複数種類の省電力モードの少なくとも１つについて、省電力モードに対応する適応時間帯を入力する入力ステップと、各省電力モードを設定及び解除しており、計時ステップによる計時時刻が入力ステップで入力された適応時間帯に入る間だけ、この適応時間帯に対応する省電力モードの設定を可能にする制御ステップとを含んでいる。
【００１４】
また、本発明の記録媒体は、上記電子装置の省電力制御方法を実施するためのプログラムを記録している。
【００１５】
プログラムは、磁気ディスク、光ディスク、コンピュータに内蔵のハードディスク等の記録媒体に記録されたり、通信ネットワークを通じて送受されたりする。コンピュータやマイクロプロセッサ内蔵の端末装置等は、プログラムを記録媒体から読み出したり、プログラムを通信ネットワークを通じて受信したりして、このプログラムを実行して、本発明を実施することができる。コンピュータ等の端末装置及びネットワーク等からなるシステムにおいては、プログラムに係わる処理をコンピュータ等の端末装置に分散して行い得る。従って、プログラムは、コンピュータ等の単一の端末装置だけではなく、システムにも適用し得る。
【００１６】
記録媒体としては、マスクＲＯＭ、ＥＰＲＯＭ、ＥＥＰＲＯＭ、フラッシュＲＯＭといった半導体記憶素子、ＩＣカード、ハードディスク、フレキシブルディスク、あるいはＭＯ、ＣＤ、ＭＤ、ＤＶＤ等の光ディスク、磁気テープ等を挙げることができ、プログラムを記録することが可能であれば他の種類の記録媒体であっても良い。
【発明の効果】
【００１７】
本発明によれば、省電力モードに対応する適応時間帯を入力しておき、計時時刻が該適応時間帯に入る間だけ、この適応時間帯に対応する省電力モードの設定を可能にしている。従って、適応時間帯として、ユーザにより電子装置が殆ど使用されない適応時間帯を入力し、この適応時間帯を大幅な省電力化が可能な省電力モードに対応させておけば、電子装置が殆ど使用されない適応時間帯では、通常動作モードから省電力モードへの切り換えに際し、この大幅な省電力化が可能な省電力モードが設定されることになり、大幅な省電力化を果たすことができる。
【００１８】
電子装置は、表示装置を備えることが多い。この表示装置を備える場合は、省電力モードとして、例えば表示装置の照明手段の減光もしくは消灯、表示装置の表示領域の削減、及び表示装置のオフ等を設定することができる。特に、照明手段の消灯及び表示装置のオフは、大幅な省電力化を果たすことができる。
【００１９】
また、本発明によれば、周囲が暗いことが検出されると、計時時刻が適応時間帯に入るか否かにかかわらず、この適応時間帯に対応する省電力モードの設定を可能にしている。ここでは、周囲が暗いときには、電子装置の使用が不可能であることから、時刻にかかわらず、該適応時間帯に対応する省電力モードの設定を可能にして、省電力モードを制限しない様にしている。
【００２０】
更に、本発明によれば、電子装置の使用履歴に応じて、適応時間帯を変更している。ここでは、電子装置の使用履歴に基づいて、電子装置の使用頻度が高い適応時間帯から外れる様に適応時間帯を変更し、この適応時間帯を電子装置が殆ど使用されない適応時間帯に一致させている。これにより、電子装置の使用頻度が高い適応時間帯には、大幅な省電力化が可能な省電力モードが設定されなくなる。
【００２１】
また、本発明によれば、撮影手段の起動時に、省電力モードが設定されると、撮影が中断してしまうので、省電力モードの設定を禁止している。
【発明を実施するための最良の形態】
【００２２】
以下、本発明の実施形態を添付図面を参照しつつ詳細に説明する。
【実施例１】
【００２３】
図１は、本発明の実施例１である携帯電話機を示すブロック図である。この携帯電話機では、電話無線通信を行なう通信部１１、時刻を計時する計時部１２、デジタルカメラ部１３、周囲の明暗を検出するための受光素子１４、液晶表示装置（以下ＬＣＤと称す）１５、ＬＣＤ１５を駆動制御する表示制御部１６、ＬＣＤ１５のバックライト１７、バックライト１７を駆動制御するバックライト制御部１８、キーやスイッチ等からなる操作入力部１９、各種のプログラムやデータテーブルを記憶したり、ワーク領域として用いられるメモリ２０、中央処理装置（以下ＣＰＵと称する）２１、及び該携帯電話機の電源である２次電池２２を備えている。
【００２４】
通信部１１は、ハンドセットを含んでおり、無線基地局及び公衆回線網を通じての通信プロトコルを行い、他の電話端末への発呼を行ったり、他の電話端末からの着呼に応答し、他の電話端末との間で音声や画像データ等を送受する。
【００２５】
デジタルカメラ部１３は、ＣＣＤイメージセンサを用いた周知のものであり、撮影により得た画像データを出力する。この画像データは、メモリ２０に記憶される。
【００２６】
受光素子１４は、周囲の明暗を検出するためのものであり、周囲の明るさに応じた検出出力をＣＰＵ２１に出力する。
【００２７】
ＣＰＵ２１は、この携帯電話機を統括的に制御するものであり、操作入力部１９からの操作入力に応答して、メモリ２０内の各種のプログラムを実行したり、メモリ２０内の各種のデータテーブルを参照しつつ、通信部１１、デジタルカメラ部１３、表示制御部１６、及びバックライト制御部１８等を制御する。
【００２８】
図２は、メモリ２０に予め記憶されている各種のプログラム及びデータテーブルを例示する図である。このメモリ２０には、通信関係プログラム３１、カメラ制御プログラム３２、アプリケーションプログラム３３、バックライト省電力処理プログラム３４、液晶部分省電力処理プログラム３５、液晶全省電力処理プログラム３６、省電力設定プログラム３７、使用頻度認識プログラム３８、入力監視プログラム３９、省電力管理テーブル４０、及び使用頻度格納テーブル４１等が記憶されている。
【００２９】
通信関係プログラム３１は、通信部１１を制御して、電話通信を行うためのものである。また、カメラ制御プログラム３２は、デジタルカメラ部１３を制御して、撮影を行うためのものである。更に、アプリケーションプログラム３３は、各種の画像をＬＣＤ１５の画面に表示したり、電子メールの作成や送受信等を行うためのものであり、複数種類のものが存在する。
【００３０】
バックライト省電力処理プログラム３４は、ＬＣＤ１５のバックライト１７の消費電力を節減するというバックライト省電力モードを実行するためのものである。また、液晶部分省電力処理プログラム３５は、バックライト１７の消費電力を節減すると共に、ＬＣＤ１５の消費電力を部分的に節減するという液晶部分省電力モードを実行するためのものである。更に、液晶全省電力処理プログラム３６は、バックライト１７の消費電力を節減すると共に、ＬＣＤ１５の全消費電力を節減するという液晶全省電力モードを実行するためのものである。省電力設定プログラム３７は、バックライト省電力モード、液晶部分省電力モード、及び液晶全省電力モードのそれぞれの設定条件等を設定し、これらの設定条件等を省電力管理テーブル４０に記憶するためのものである。
【００３１】
使用頻度認識プログラム３８は、１日の各使用時間帯毎に、ユーザによる携帯電話機の使用頻度を求めて、各使用時間帯での使用頻度を使用頻度格納テーブル４１に記憶し、各使用時間帯での使用頻度を用いて、後で述べる処理を行なうためのものである。
【００３２】
入力監視プログラム３９は、この携帯電話機を統括的に制御するためのものである。
【００３３】
さて、本実施例の携帯電話機では、２次電池２２を電源としているので、消費電力を節減する必要がある。このため、通常動作モードに際し、ユーザによる携帯電話機の操作が継続的に中断すると、バックライト省電力モード、液晶部分省電力モード、及び液晶全省電力モードを選択的に設定して、通常動作モードから省電力モードへと移行する。また、ユーザによる携帯電話機の操作が再開されると、省電力モードを解除して、省電力モードから通常動作モードへと自動的に復帰する。
【００３４】
次に、入力監視プログラム３９による処理を示す図３のフローチャートを参照しつつ、通常動作モードや各省電力モード等の概要を説明する。
【００３５】
ＣＰＵ２１は、この携帯電話機の電源がオンにされると、メモリ２０から入力監視プログラムを読み出して起動し（ステップＳ１０１）、初期設定画面を表示制御部１６を通じてＬＣＤ１５に表示してから、操作入力部１９のキーやスイッチが操作されたか否かを判断する。そして、操作されなかった場合は（ステップＳ１０２で「ＮＯ」）、ステップＳ１１３へ移行する。また、ＣＰＵ２１は、操作入力部１９が操作されると（ステップＳ１０２で「ＹＥＳ」）、バックライト省電力モード、液晶部分省電力モード、及び液晶全省電力モードのいずれかが設定されている省電力モード状態の場合に省電力モードの解除を決定して、省電力モードから通常動作モードへの復帰をなす（ステップＳ１０３）。引き続いて、操作入力部１９の操作に応答して電源のオフ、省電力設定プログラム３７の起動、及びアプリケーションプログラム３３の起動のいずれかを実行する。
【００３６】
例えば、操作入力部１９の操作により、電源のオフが指示されたのであれば、ＣＰＵ２１は、この携帯電話機の電源をオンからオフに切換えて（ステップＳ１０４）、入力監視プログラム３９による処理を終了する。
【００３７】
更に、操作入力部１９の操作により、アプリケーションプログラム３３の制御が指示されたのであれば、ＣＰＵ２１は、アプリケーションプログラム３３をメモリ２０から読み出して実行する（ステップＳ１０５）。例えば、電子メールの作成／送受信が指示されると、電子メール用のアプリケーションプログラムがメモリ２０から読み出されて実行され、電子メール用の画面がＬＣＤ１５に表示される。また、例えば、カメラ撮影が指示されると、カメラ制御プログラム３２がメモリ２０から読み出されて実行され、カメラ撮影用の画面がＬＣＤ１５に表示される。
【００３８】
また、操作入力部１９の操作により、ＬＣＤ１５の初期設定画面上で省電力設定プログラム３７の起動が指示されたのであれば、ＣＰＵ２１は、省電力設定プログラム３７をメモリ２０から読み出して実行する（ステップＳ１０６）。この省電力設定プログラム３７を起動した場合は、バックライト省電力モード、液晶部分省電力モード、及び液晶全省電力モードのいずれかを選択するための選択画面がＬＣＤ１５に表示される。そして、操作入力部１９の操作により、この選択画面上で各省電力モードのいずれかが選択される。
【００３９】
例えば、バックライト省電力モードが選択されると（ステップＳ１０７で「ＹＥＳ」）、省電力設定プログラム３７に含まれるバックライト省電力設定プログラムが起動され、バックライト省電力モードの設定条件を入力するための入力画面がＬＣＤ１５に表示される。この状態で、操作入力部１９の操作により、入力画面上でバックライト省電力モードの設定条件を入力する（ステップＳ１０８）。
【００４０】
また、液晶部分省電力モードが選択されると（ステップＳ１０９で「ＹＥＳ」）、省電力設定プログラム３７に含まれる液晶部分省電力設定プログラムが起動され、液晶部分省電力モードの設定条件を入力するための入力画面がＬＣＤ１５に表示される。この状態で、操作入力部１９の操作により、入力画面上で液晶部分省電力モードの設定条件を入力する（ステップＳ１１０）。
【００４１】
更に、液晶全省電力モードが選択されると（ステップＳ１１１で「ＹＥＳ」）、省電力設定プログラム３７に含まれる液晶全省電力設定プログラムが起動され、液晶全省電力モードの設定条件を入力するための入力画面がＬＣＤ１５に表示される。この状態で、操作入力部１９の操作により、入力画面上で液晶全省電力モードの設定条件を入力する（ステップＳ１１２）。
【００４２】
こうして入力された各省電力モードの設定条件は、メモリ２０内の省電力管理テーブル４０に記憶される。
【００４３】
また、省電力管理テーブル４０には、カメラモードのフラッグ及び明るさ制御のフラッグが記憶される。カメラモードのフラッグは、デジタルカメラ部１３による撮影が行なわれているとき（カメラ制御プログラム３２が実行されているとき）にオンに設定され、それ以外のときにオフに設定される。明るさ制御のフラッグは、ユーザの選択操作によって、携帯電話機の周囲の明るさに応じて省電力モードを設定するときにオンに設定され、周囲の明るさに応じて省電力モードを設定しないときにオフに設定される。
【００４４】
次に、ＣＰＵ２１は、省電力管理テーブル４０のカメラモードのフラッグがオンオフのいずれであるかを確認し（ステップＳ１１３）、フラッグがオンであれば（ステップＳ１１３で「ＯＮ」）、つまりデジタルカメラ部１３による撮影が行なわれていれば、各ステップＳ１１４〜Ｓ１１６をスキップして、各省電力モードのいずれをも設定せず、使用頻度認識プログラム３８を実行してから（ステップＳ１１７）、ステップＳ１０２に戻る。
【００４５】
また、ＣＰＵ２１は、カメラモードのフラッグがオフであれば（ステップＳ１１３で「ＯＦＦ」）、つまりデジタルカメラ部１３による撮影が行なわれていなければ、バックライト省電力処理プログラム３４、液晶部分省電力処理プログラム３５、及び液晶全省電力処理プログラム３６をメモリ２０から順次読み出して実行し、メモリ２０内の省電力管理テーブル４０に記憶されている各省電力モードの設定条件に基づいて各省電力モードを適宜に設定する（各ステップＳ１１４〜Ｓ１１６）。これにより、携帯電話機の消費電力の低減が図られる。更に、使用頻度認識プログラム３８を実行してから（ステップＳ１１７）、ステップＳ１０２に戻る。
【００４６】
従って、入力監視プログラム３９においては、操作入力部１９の操作入力が判断され（ステップＳ１０２）、操作入力部１９の操作により電源のオフが指示されると、この携帯電話機の電源がオフに設定され（ステップＳ１０４）、また省電力モードが設定されている状態で、操作入力部１９が１度でも操作されると、省電力モードから通常動作モードへの復帰がなされ（ステップＳ１０３）、更に操作入力部１９の操作によりアプリケーションプログラム３３の起動が指示されると、アプリケーションプログラム３３が実行され（ステップＳ１０５）、また操作入力部１９の操作により省電力設定プログラム３７の起動が指示されると、省電力設定プログラム３７が実行される（ステップＳ１０６〜Ｓ１１２）。
【００４７】
そして、カメラモードのフラッグがオンであれば（ステップＳ１１３で「ＯＮ」）、各ステップＳ１１４〜Ｓ１１６がスキップされて、省電力モードが設定されることなく、ステップＳ１０２に戻り、またカメラモードのフラッグがオフであれば（ステップＳ１１３で「ＯＦＦ」）、バックライト省電力処理プログラム３４、液晶部分省電力処理プログラム３５、及び液晶全省電力処理プログラム３６が順次実行され、省電力管理テーブル４０の各省電力モードの設定条件に基づいて各省電力モードが適宜に設定され（各ステップＳ１１４〜Ｓ１１６）、携帯電話機の消費電力の低減が図られる。更に、使用頻度認識プログラム３８が実行される。
【００４８】
尚、バックライト省電力モード、液晶部分省電力モード、及び液晶全省電力モードのいずれも設定されていないときには、通常動作モードが設定されているものとする。
【００４９】
図４は、省電力管理テーブル４０の構成を示す図である。省電力管理テーブル４０には、バックライト省電力モード、液晶部分省電力モード、及び液晶全省電力モード別に、省電力モードの設定条件である省電力フラッグ、未操作状態待機時間、及び適応時間帯の開始時刻と終了時刻等が記憶されている。省電力フラッグ、未操作状態待機時間、及び適応時間帯等は、それぞれの初期設定値があり、これらの初期設置値を各ステップＳ１０８、Ｓ１１０、Ｓ１１２で変更することができる。バックライト省電力モードでは、省電力フラッグの初期設定値がオン、未操作状態待機時間の初期設定値が１５秒であり、ステップＳ１０８で、省電力フラッグをオフに切換えたり、未操作状態待機時間を１〜９９秒の範囲で変更することができる。また、液晶部分省電力モードでは、省電力フラッグの初期設定値がオン、未操作状態待機時間の初期設定値が１分であり、ステップＳ１１０で、省電力フラッグをオフに切換えたり、未操作状態待機時間を１〜２０分の範囲で変更することができる。液晶全省電力モードでは、省電力フラッグの初期設定値がオン、未操作状態待機時間の初期設定値が１分、及び適応時間帯の初期設定値が「００：００〜７：００」であり、ステップＳ１１２で、省電力フラッグをオフに切換えたり、未操作状態待機時間を１〜２０分の範囲で変更したり、適応時間帯を「００：００〜２３：５９」の範囲で変更することができる。
【００５０】
各省電力モードの未操作状態待機時間は、通常動作モードからそれぞれの省電力モードへと移行するときの条件を示しており、省電力モードの未操作状態待機時間以上、操作入力部１９の未操作状態が継続したときに、通常動作モードから該省電力モードへの移行がなされる。
【００５１】
液晶全省電力モードの適応時間帯は、液晶全省電力モードの設定が可能な時間帯を示している。
【００５２】
各省電力フラッグは、図５の図表に示す様なそれぞれの処理内容を示す。バックライト省電力モードの省電力フラッグがオンの場合は、バックライト省電力モードの設定が可能であり、この省電力モードが設定されたときに、ＣＰＵ２１の制御によりバックライト制御部１８を通じてバックライト１７の照度が半減される。例えば、バックライト１７として複数個のＬＥＤを用いているならば、各ＬＥＤの半数が消灯される。これにより、通常動作モードのときよりも携帯電話機の消費電力が低減される。また、バックライト省電力モードの省電力フラッグがオフの場合は、バックライト省電力モードが設定されず、かつ通常動作モード及び省電力動作モードにかかわらず、バックライト１７が完全に消灯される。
【００５３】
また、液晶部分省電力モードの省電力フラッグがオンの場合は、液晶部分省電力モードの設定が可能であり、この省電力モードが設定されたときに、ＣＰＵ２１の制御によりバックライト１７が消灯され、かつＣＰＵ２１の制御により表示制御部１６を通じてＬＣＤ１５の画面の表示領域が１／３に縮小される。これにより、バックライト省電力モードのときよりも携帯電話機の消費電力が低減される。また、液晶部分省電力モードの省電力フラッグがオフの場合は、液晶部分省電力モードが設定されない。
【００５４】
更に、液晶全省電力モードの省電力フラッグがオンの場合は、液晶全省電力モードの設定が可能であり、この省電力モードが設定されたときに、ＣＰＵ２１の制御によりバックライト１７が消灯されかつＬＣＤ１５が完全に停止される。これにより、液晶部分省電力モードのときよりも携帯電話機の消費電力が低減される。また、液晶全省電力モードの省電力フラッグがオフの場合は、液晶全省電力モードが設定されない。
【００５５】
従って、携帯電話機の消費電力は、通常動作モードのときよりもバックライト省電力モードのときに低減され、バックライト省電力モードのときよりも液晶部分省電力モードのときにより低減され、液晶部分省電力モードのときよりも液晶全省電力モードのときに更に低減される。
【００５６】
また、省電力管理テーブル４０では、液晶全省電力モードに対応して、カメラモードのフラッグ及び明るさ制御のフラッグが記憶されている。ＣＰＵ２１は、カメラ制御プログラム３２の実行中に、つまりデジタルカメラ部１３による撮影が行なわれているときに、カメラモードのフラッグをオンに設定し、それ以外のときにオフに設定する。このカメラモードのフラッグがオンであれば、省電力モードを設定することができず、このカメラモードのフラッグがオフであれば、省電力モードを設定することができる。また、明るさ制御のフラッグは、携帯電話機の周囲の明るさに応じて液晶全省電力モードを設定するときにオンに設定され、周囲の明るさに応じて液晶全省電力モードを設定しないときにオフに設定される。この明るさ制御のフラッグは、その初期設定値がオフであり、操作入力部１９の操作により書き換えを指示すれば、ＣＰＵ２１によりオン又はオフに書き換えられる。
【００５７】
次に、図６、図７、及び図８のフローチャートを参照しつつ、ステップＳ１０８のバックライト省電力設定プログラムによる処理、ステップＳ１１０の液晶部分省電力設定プログラムによる処理、及びステップＳ１１２の液晶全省電力設定プログラムによる処理を説明する。
【００５８】
図６のフローチャートに示す様にバックライト省電力設定プログラムによる処理では、ＣＰＵ２１は、バックライト省電力モードの設定条件である省電力フラッグ及び未操作状態待機時間を入力するための入力画面をＬＣＤ１５に表示して、入力を待機する（ステップＳ２０１）。そして、操作入力部１９の操作により入力画面上で省電力フラッグがオフに設定されると（ステップＳ２０１で「ＯＦＦ」）、ＣＰＵ２１は、省電力管理テーブル４０のバックライト省電力モードの省電力フラッグをオフに設定して、この処理を終了する（ステップＳ２０２）。
【００５９】
また、入力画面上で省電力フラッグがオンに設定されると（ステップＳ２０１で「ＯＮ」）、ＣＰＵ２１は、省電力管理テーブル４０のバックライト省電力モードの省電力フラッグをオンに設定する。更に、入力画面上で未操作状態待機時間が入力されると、ＣＰＵ２１は、この入力された未操作状態待機時間を省電力管理テーブル４０のバックライト省電力モードに対応付けて書き込んで、バックライト省電力モードの未操作状態待機時間を更新してから（ステップＳ２０３）、この処理を終了する。また、未操作状態待機時間が入力されなければ、バックライト省電力モードの未操作状態待機時間を更新しないまま（ステップＳ２０３）、この処理を終了する。
【００６０】
図７のフローチャートに示す様に液晶部分省電力設定プログラムによる処理では、ＣＰＵ２１は、液晶部分省電力の設定条件である省電力フラッグ及び未操作状態待機時間を入力するための入力画面をＬＣＤ１５に表示して、入力を待機する（ステップＳ２１１）。そして、操作入力部１９の操作により入力画面上で省電力フラッグがオフに設定されると（ステップＳ２１１で「ＯＦＦ」）、ＣＰＵ２１は、省電力管理テーブル４０の液晶部分省電力モードの省電力フラッグをオフに設定して、この処理を終了する（ステップＳ２１２）。
【００６１】
また、入力画面上で省電力フラッグがオンに設定されると（ステップＳ２１１で「ＯＮ」）、ＣＰＵ２１は、省電力管理テーブル４０の液晶部分省電力モードの省電力フラッグをオンに設定する。更に、入力画面上で未操作状態待機時間が入力されると、ＣＰＵ２１は、この入力された未操作状態待機時間を省電力管理テーブル４０の液晶部分省電力モードに対応付けて書き込んで、液晶部分省電力モードの未操作状態待機時間を更新してから（ステップＳ２１３）、この処理を終了する。また、未操作状態待機時間が入力されなければ、液晶部分省電力モードの未操作状態待機時間を更新しないまま（ステップＳ２１３）、この処理を終了する。
【００６２】
図８のフローチャートに示す様に液晶全省電力設定プログラムによる処理では、ＣＰＵ２１は、液晶全省電力の設定条件である省電力フラッグ、未操作状態待機時間、及び適応時間帯を入力するための入力画面をＬＣＤ１５に表示して、入力を待機する（ステップＳ２２１）。そして、操作入力部１９の操作により入力画面上で省電力フラッグがオフに設定されると（ステップＳ２２１で「ＯＦＦ」）、ＣＰＵ２１は、省電力管理テーブル４０の液晶全省電力モードの省電力フラッグをオフに設定して、この処理を終了する（ステップＳ２２２）。
【００６３】
また、入力画面上で省電力フラッグがオンに設定されると（ステップＳ２２１で「ＯＮ」）、ＣＰＵ２１は、省電力管理テーブル４０の液晶全省電力モードの省電力フラッグをオンに設定する。更に、入力画面上で未操作状態待機時間が入力されると、ＣＰＵ２１は、この入力された未操作状態待機時間を省電力管理テーブル４０の液晶全省電力モードに対応付けて書き込んで、液晶全省電力モードの未操作状態待機時間を更新する（ステップＳ２２３）。また、未操作状態待機時間が入力されなければ、液晶全省電力モードの未操作状態待機時間を更新しない（ステップＳ２２３）。
【００６４】
引き続いて、入力画面上で適応時間帯が入力されると、ＣＰＵ２１は、この入力された適応時間帯を省電力管理テーブル４０の液晶全省電力モードに対応付けて書き込んで、液晶全省電力モードの適応時間帯を更新する（ステップＳ２２４）。また、適応時間帯が入力されなければ、液晶全省電力モードの適応時間帯を更新しない（ステップＳ２２４）。そして、ＣＰＵ２１は、液晶全省電力モードの適応時間帯を更新したときにのみ、使用頻度格納テーブル４１に記憶されている各使用時間帯での使用頻度を初期化してから（ステップＳ２２５）、この処理を終了する。
【００６５】
次に、図９、図１０、及び図１１又は図１２のフローチャートを参照しつつ、ステップＳ１１４のバックライト省電力処理プログラム３４による処理、ステップＳ１１５の液晶部分省電力処理プログラム３５による処理、及びステップＳ１１６の液晶全省電力処理プログラム３６による処理を説明する。
【００６６】
図９のフローチャートに示す様にバックライト省電力処理プログラム３４による処理では、まずＣＰＵ２１は、省電力管理テーブル４０のバックライト省電力モードの省電力フラッグを取得して（ステップＳ３０１）、この省電力フラッグがオン及びオフのいずれであるかを判定する（ステップＳ３０２）。そして、バックライト省電力モードの省電力フラッグがオフであれば（ステップＳ３０２で「ＯＦＦ」）、ＣＰＵ２１は、バックライト制御部１８を通じてバックライト１７を消灯させるか、既に消灯されていれば、この消灯を維持し（ステップＳ３０３）、この処理を終了する。この場合は、バックライト１７の消灯が継続されることになるが、ＬＣＤ１５の画面表示が可能であって、周囲が十分に明るければ、ＬＣＤ１５の画面内容を見ることができ、通常動作モードの維持も可能である。
【００６７】
また、バックライト省電力モードの省電力フラッグがオンであれば（ステップＳ３０２で「ＯＮ」）、ＣＰＵ２１は、省電力管理テーブル４０のバックライト省電力モードの未操作状態待機時間を取得して（ステップＳ３０４）、この未操作状態待機時間以上、操作入力部１９の未操作状態が継続したか否かを判断し（ステップＳ３０５）、継続していなければ（ステップＳ３０５で「ＮＯ」）、この処理を終了する。また、バックライト省電力モードの未操作状態待機時間以上、未操作状態が継続すれば（ステップＳ３０５で「ＹＥＳ」）、ＣＰＵ２１は、バックライト省電力モードを設定し、バックライト１７の照度を半減させて、携帯電話機の消費電力を低減させる（ステップＳ３０６）。
【００６８】
従って、バックライト省電力モードの省電力フラッグがオンであって、バックライト省電力モードの設定が可能であれば、バックライト省電力モードの未操作状態待機時間以上、操作入力部１９の未操作状態が継続したときに、バックライト１７の照度が半減されて、携帯電話機の消費電力が低減される。
【００６９】
尚、バックライト省電力モードの設定に伴い、実行中のアプリケーションプログラム３３や省電力設定プログラム３７等を中断させて、ＣＰＵ２１等の消費電力の低減を図っても良い。ただし、通信部１１、計時部１２、操作入力部１９、及びメモリ２０の動作は継続させる。
【００７０】
図１０のフローチャートに示す様に液晶部分省電力処理プログラム３５による処理では、まずＣＰＵ２１は、省電力管理テーブル４０の液晶部分省電力モードの省電力フラッグを取得して（ステップＳ３１１）、この省電力フラッグがオン及びオフのいずれであるかを判定する（ステップＳ３１２）。そして、液晶部分省電力モードの省電力フラッグがオフであれば（ステップＳ３１２で「ＯＦＦ」）、ＣＰＵ２１は、液晶部分省電力モードを設定せずに（ステップＳ３１３）、この処理を終了する。
【００７１】
また、液晶部分省電力モードの省電力フラッグがオンであれば（ステップＳ３１２で「ＯＮ」）、ＣＰＵ２１は、省電力管理テーブル４０の液晶部分省電力モードの未操作状態待機時間を取得して（ステップＳ３１４）、この未操作状態待機時間以上、操作入力部１９の未操作状態が継続したか否かを判断し（ステップＳ３１５）、継続していなければ（ステップＳ３１５で「ＮＯ」）、この処理を終了する。また、液晶部分省電力モードの未操作状態待機時間以上、未操作状態が継続すれば（ステップＳ３１５で「ＹＥＳ」）、ＣＰＵ２１は、液晶部分省電力モードを設定し、バックライト１７を消灯し、かつＬＣＤ１５の画面の表示領域を１／３に縮小させて、携帯電話機の消費電力を低減させる（ステップＳ３１６）。
【００７２】
この液晶部分省電力モードにおいては、例えば、図１３（ａ）に示す様な通常動作モードでのＬＣＤ１５の画面表示が、バックライト１７の消灯により図１３（ｂ）に示す様に暗くなる。また、ＣＰＵ２１は、表示制御部１６を通じてＬＣＤ１５の画面中央の１／３の表示領域だけを駆動制御し、計時部１２による計時時刻（現在時刻）を該１／３の表示領域に表示させる。そして、ＣＰＵ２１は、図１３（ｂ）、（ｃ）、（ｄ）、（ｂ）、（ｃ）、…という様に１／３の表示領域をＬＣＤ１５の画面中央、画面上側、及び画面下側に繰り返し順次切え換えつつ、それぞれの表示領域を１分ずつ維持する。これにより、ＬＣＤ１５の画面の焼き付けが防止される。
【００７３】
この様に液晶部分省電力モードの省電力フラッグがオンであって、液晶部分省電力モードの設定が可能であれば、液晶部分省電力モードの未操作状態待機時間以上、操作入力部１９の未操作状態が継続したときに、バックライト１７が消灯され、かつＬＣＤ１５の画面の表示領域が１／３に縮小されて、携帯電話機の消費電力が低減される。
【００７４】
尚、液晶部分省電力モードの設定に伴い、実行中のアプリケーションプログラム３３や省電力設定プログラム３７等を中断させて、ＣＰＵ２１等の消費電力の低減を図っても良い。ただし、通信部１１、計時部１２、操作入力部１９、及びメモリ２０の動作は継続させる。
【００７５】
次に、液晶全省電力処理プログラム３６による処理では、まずＣＰＵ２１は、省電力管理テーブル４０の液晶全省電力モードの明るさ制御のフラッグを取得し、この明るさ制御のフラッグがオフであって、携帯電話機の周囲の明るさに応じて液晶全省電力モードを設定しないのであれば、液晶全省電力処理プログラム３６に含まれる図１１の液晶全省電力処理プログラム３６Ａを起動し、また明るさ制御のフラッグがオンであって、携帯電話機の周囲の明るさに応じて液晶全省電力モードを設定するのであれば、液晶全省電力処理プログラム３６に含まれる図１２の液晶全省電力処理プログラム３６Ｂを起動する。
【００７６】
例えば、携帯電話機の周囲の明るさに応じて液晶全省電力モードを設定しないときの液晶全省電力処理プログラム３６Ａが起動された場合は、ＣＰＵ２１は、省電力管理テーブル４０の液晶全省電力モードの省電力フラッグを取得して（ステップＳ３２１）、この省電力フラッグがオン及びオフのいずれであるかを判定する（ステップＳ３２２）。そして、液晶全省電力モードの省電力フラッグがオフであれば（ステップＳ３２２で「ＯＦＦ」）、ＣＰＵ２１は、液晶全省電力モードを設定せずに、この処理を終了する。
【００７７】
また、液晶全省電力モードの省電力フラッグがオンであれば（ステップＳ３２２で「ＯＮ」）、ＣＰＵ２１は、省電力管理テーブル４０の液晶全省電力モードの適応時間帯を取得すると共に（ステップＳ３２３）、計時部１２による計時時刻（現在時刻）を取得し（ステップＳ３２４）、計時時刻が液晶全省電力モードの適応時間帯に入るか否かを判定する（ステップＳ３２５）。そして、計時時刻が液晶全省電力モードの適応時間帯に入らなければ（ステップＳ３２５で「ＮＯ）、ＣＰＵ２１は、液晶全省電力モードを設定せずに、この処理を終了する。
【００７８】
また、計時時刻が液晶全省電力モードの適応時間帯に入れば（ステップＳ３２５で「ＹＥＳ」、ＣＰＵ２１は、省電力管理テーブル４０の液晶全省電力モードの未操作状態待機時間を取得して（ステップＳ３２６）、この未操作状態待機時間以上、操作入力部１９の未操作状態が継続したか否かを判断し（ステップＳ３２７）、継続していなければ（ステップＳ３２７で「ＮＯ」）、この処理を終了する。また、液晶全省電力モードの未操作状態待機時間以上、未操作状態が継続すれば（ステップＳ３２７で「ＹＥＳ」）、ＣＰＵ２１は、液晶全省電力モードを設定し、バックライト１７を消灯し、かつＬＣＤ１５を完全に停止させて、携帯電話機の消費電力を低減させる（ステップＳ３２８）。
【００７９】
また、携帯電話機の周囲の明るさに応じて液晶全省電力モードを設定するときの液晶全省電力処理プログラム３６Ｂが起動された場合は、ＣＰＵ２１は、受光素子１４の検出出力を取得して（ステップＳ３３１）、この検出出力が一定値以下であるか否かを判定する（ステップＳ３３２）。そして、受光素子１４の検出出力が一定値以下であれば（ステップＳ３３２で「ＹＥＳ」）、ＣＰＵ２１は、周囲が暗いものとみなし、省電力管理テーブル４０の液晶全省電力モードの未操作状態待機時間を取得して（ステップＳ３３３）、この未操作状態待機時間以上、操作入力部１９の未操作状態が継続したか否かを判断し（ステップＳ３３４）、継続していなければ（ステップＳ３３４で「ＮＯ」）、この処理を終了する。また、液晶全省電力モードの未操作状態待機時間以上、未操作状態が継続すれば（ステップＳ３３４で「ＹＥＳ」）、ＣＰＵ２１は、液晶全省電力モードを設定し、バックライト１７を消灯し、かつＬＣＤ１５を完全に停止させて、携帯電話機の消費電力を低減させる（ステップＳ３３５）。
【００８０】
また、受光素子１４の検出出力が一定値を超えていれば（ステップＳ３３２で「ＮＯ」）、ＣＰＵ２１は、周囲が明るいものとみなし、省電力管理テーブル４０の液晶全省電力モードの省電力フラッグを取得して（ステップＳ３３６）、この省電力フラッグがオン及びオフのいずれであるかを判定する（ステップＳ３３７）。そして、液晶全省電力モードの省電力フラッグがオフであれば（ステップＳ３３７で「ＯＦＦ」）、ＣＰＵ２１は、液晶全省電力モードを設定せずに、この処理を終了する。
【００８１】
また、液晶全省電力モードの省電力フラッグがオンであれば（ステップＳ３３７で「ＯＮ」）、ＣＰＵ２１は、省電力管理テーブル４０の液晶全省電力モードの適応時間帯を取得すると共に（ステップＳ３３８）、計時部１２による計時時刻（現在時刻）を取得し（ステップＳ３３９）、計時時刻が液晶全省電力モードの適応時間帯に入るか否かを判定する（ステップＳ３４０）。そして、計時時刻が液晶全省電力モードの適応時間帯に入らなければ（ステップＳ３４０で「ＮＯ）、ＣＰＵ２１は、液晶全省電力モードを設定せずに、この処理を終了する。
【００８２】
また、計時時刻が液晶全省電力モードの適応時間帯に入れば（ステップＳ３４０で「ＹＥＳ」、ＣＰＵ２１は、省電力管理テーブル４０の液晶全省電力モードの未操作状態待機時間を取得して（ステップＳ３３３）、この未操作状態待機時間以上、未操作状態が継続したか否かを判断し（ステップＳ３３４）、継続していなければ（ステップＳ３３４で「ＮＯ」）、この処理を終了する。また、この未操作状態待機時間以上、未操作状態が継続すれば（ステップＳ３３４で「ＹＥＳ」）、ＣＰＵ２１は、液晶全省電力モードを設定し、バックライト１７を消灯し、かつＬＣＤ１５を完全に停止させる（ステップＳ３３５）。
【００８３】
従って、明るさ制御のフラッグがオフである場合は、液晶全省電力モードの省電力フラッグがオンであって、液晶全省電力モードの設定が可能であれば、液晶全省電力モードの未操作状態待機時間以上、操作入力部１９の未操作状態が継続したときに、バックライト１７が消灯され、かつＬＣＤ１５が完全に停止されて、携帯電話機の消費電力が低減される。
【００８４】
また、明るさ制御のフラッグがオンであって、周囲が暗いときには、液晶全省電力モードの省電力フラッグのオンオフにかかわらず、液晶全省電力モードの設定が可能にされて、携帯電話機の消費電力の低減が効果的に行なわれる。これは、周囲が暗いときには、携帯電話機が鞄等に入れられたり、携帯電話機が暗い室内にあって、携帯電話機が使用状態になく、液晶全省電力モードを設定しても、携帯電話機の使い勝手に支障がないためである。
【００８５】
更に、明るさ制御のフラッグがオンであっても、周囲が明るいときには、明るさ制御のフラッグがオフである場合と同様の制御が行なわれる。
【００８６】
尚、各ステップＳ３３１、Ｓ３３２をステップＳ３４０の「ＮＯ」の直後に移動させ、ステップＳ３３２で「ＮＯ」の場合はＥＮＤ、「ＹＥＳ」の場合はステップＳ３３３へ移行させるようにしても良い。その場合、液晶全省電力モードの省電力フラッグがオンであれば、液晶全省電力モードの適応時間帯外であっても、周囲が暗いときは液晶全省電力モードに設定される。
【００８７】
また、液晶全省電力モードの設定に伴い、実行中のアプリケーションプログラム３３や省電力設定プログラム３７等を中断させて、ＣＰＵ２１等の消費電力の低減を図っても良い。ただし、通信部１１、計時部１２、操作入力部１９、及びメモリ２０の動作は継続させる。
【００８８】
ここで、図１４（ａ）、（ｂ）を参照しつつ、バックライト省電力モード、液晶部分省電力モード、及び液晶全省電力モードの遷移過程を説明する。
【００８９】
ただし、省電力管理テーブル４０では、バックライト省電力モード、液晶部分省電力モード、及び液晶全省電力モードの各省電力フラッグがオンに設定されているものとする。また、バックライト省電力モードの未操作状態待機時間が１５秒に設定され、液晶部分省電力モードの未操作状態待機時間が１分に設定され、液晶全省電力モードの未操作状態待機時間が1分に設定されているものとする。更に、液晶全省電力モードの適応時間帯が「００：００〜７：００」に設定されているものとする。
【００９０】
まず、計時部１２による計時時刻が液晶全省電力モードの適応時間帯「００：００〜７：００」から外れている場合は、図１４（ａ）に示す様に時点Ｔ0で操作入力部１９が未操作状態となって、未操作状態が継続し、時点Ｔ1で未操作状態の継続時間がバックライト省電力モードの未操作状態待機時間１５秒に達すると、バックライト省電力モードが設定されて、バックライト１７の照度が半減される。
【００９１】
更に、未操作状態が継続し、時点Ｔ2で時点Ｔ1からの未操作状態の継続時間が液晶部分省電力モードの未操作状態待機時間１分に達すると、液晶部分省電力モードが設定されて、バックライト１７が消灯され、かつＬＣＤ１５の画面の表示領域が１／３に縮小される。そして、ＬＣＤ１５の画面の１／３の表示領域に計時時刻が表示される。
【００９２】
引き続いて、未操作状態が継続しても、計時時刻が液晶全省電力モードの適応時間帯「００：００〜７：００」から外れていることから、液晶全省電力モードが設定されることはなく、液晶部分省電力モードが維持される。
【００９３】
このため、時点Ｔ2以降は、計時部１２による計時時刻が１／３の表示領域に表示され、１分毎に、１／３の表示領域が画面中央、画面上側、及び画面下側に繰り返し順次切り換えられることになる。
【００９４】
また、計時部１２による計時時刻が液晶全省電力モードの適応時間帯「００：００〜７：００」に入っている場合は、図１４（ｂ）に示す様に時点Ｔ0で操作入力部１９が未操作状態となり、時点Ｔ1で未操作状態の継続時間がバックライト省電力モードの未操作状態待機時間１５秒に達すると、バックライト省電力モードが設定されて、バックライト１７の照度が半減される。
【００９５】
更に、時点Ｔ2で時点Ｔ1からの未操作状態の継続時間が液晶部分省電力モードの未操作状態待機時間１分に達すると、液晶部分省電力モードが設定されて、バックライト１７が消灯され、かつＬＣＤ１５の画面の表示領域が１／３に縮小される。そして、ＬＣＤ１５の画面の１／３の表示領域に計時時刻が表示される。
【００９６】
引き続いて、未操作状態が継続し、時点Ｔ3で時点Ｔ2からの未操作状態の継続時間が液晶全省電力モードの未操作状態待機時間１分に達すると、液晶全省電力モードが設定されて、バックライト１７が消灯され、かつＬＣＤ１５が完全に停止される。
【００９７】
次に、液晶全省電力モードの省電力フラッグがオフに切り換えられたときには、液晶全省電力モードが設定されることはなく、図１５に示す様にバックライト省電力モード及び液晶部分省電力モードが順次設定される。
【００９８】
まず、時点Ｔ0で操作入力部１９が未操作状態となって、未操作状態が継続し、時点Ｔ1で未操作状態の継続時間がバックライト省電力モードの未操作状態待機時間１５秒に達すると、バックライト省電力モードが設定されて、バックライト１７の照度が半減される。
【００９９】
更に、未操作状態が継続し、時点Ｔ2で時点Ｔ1からの未操作状態の継続時間が液晶部分省電力モードの未操作状態待機時間１分に達すると、液晶部分省電力モードが設定されて、バックライト１７が消灯され、かつＬＣＤ１５の画面の表示領域が１／３に縮小される。そして、ＬＣＤ１５の画面の１／３の表示領域に計時部１２による計時時刻が表示され、１分毎に、１／３の表示領域が画面中央、画面上側、及び画面下側に繰り返し順次切換えられる。
【０１００】
尚、バックライト省電力モード、液晶部分省電力モード、及び液晶全省電力モードのいずれが設定されている状態でも、操作入力部１９が１度でも操作されると、省電力モードが解除されて、省電力モードから通常動作モードへの復帰がなされる（図３のステップＳ１０３）。
【０１０１】
また、デジタルカメラ部１３による撮影が行なわれていることから、省電力管理テーブル４０のカメラモードのフラッグがオンに設定されていれば（図３のステップＳ１１３で「オン」、バックライト省電力モード、液晶部分省電力モード、及び液晶全省電力モードのいずれも設定されることはない。
【０１０２】
次に、こうしてバックライト省電力処理プログラム３４による処理、液晶部分省電力処理プログラム３５による処理、及び液晶全省電力処理プログラム３６による処理が行われると、この後で使用頻度認識プログラム３８が実行される。
【０１０３】
ここでは、１日の各使用時間帯毎に、ユーザによる携帯電話機の使用頻度を求めて、各使用時間帯での使用頻度を使用頻度格納テーブル４１に記憶し、各使用時間帯での使用頻度を用いて、液晶全省電力モードの適応時間帯を適宜更新している。
【０１０４】
使用頻度格納テーブル４１は、例えば図１６に示す様に１日を１５分の各使用時間帯に分け、各使用時間帯別に、携帯電話機の使用回数を積算して記憶するものである。また、液晶全省電力モードの適応時間帯を更新するための使用頻度認識プログラム３８による処理は、図１７のフローチャートに示す様なものである。
【０１０５】
この図１７のフローチャートに従って、使用頻度認識プログラム３８による処理を説明する。
【０１０６】
まず、ＣＰＵ２１は、計時部１２による計時時刻（現在時刻）を取得して（ステップＳ４０１）、使用頻度格納テーブル４１の各使用時間帯のうちから計時時刻が入る１つの使用時間帯を選択する（ステップＳ４０２）。そして、ＣＰＵ２１は、操作入力部１９が操作されると、選択した使用時間帯での最初の操作であるか否かを判定し（ステップＳ４０３）、最初の操作であれば（ステップＳ４０３で「ＹＥＳ」）、使用頻度格納テーブル４１における選択した使用時間帯の使用回数を１つ積算する（ステップＳ４０４）。また、選択した使用時間帯での最初の操作でなければ（ステップＳ４０３で「ＮＯ」）、ステップＳ４０４をスキップして、選択した使用時間帯の使用回数を積算しない。これは、携帯電話機が１回使用される度に、操作入力部１９が複数回操作されることから、この操作回数が携帯電話機の使用回数に対応せず、このために使用時間帯の最初の操作だけが携帯電話機の使用回数に対応するものとみなして、使用回数の誤差を低減させるためである。
【０１０７】
引き続いて、ＣＰＵ２１は、使用頻度格納テーブル４１の各使用時間帯の使用回数を取得し、いずれかの使用回数が一定回数以上に達しているか否かを判定し（ステップＳ４０５）、いずれかの使用回数も一定回数未満であれば（ステップＳ４０５で「ＮＯ」）、この処理を終了する。
【０１０８】
また、いずれかの使用回数が一定回数以上に達していれば（ステップＳ４０５で「ＹＥＳ」）、ＣＰＵ２１は、一定回数以上の使用回数に対応する使用時間帯が省電力管理テーブル４０の液晶全省電力モードの適応時間帯から除かれる様に該適応時間帯を更新し、この更新した適応時間帯をＬＣＤ５の画面に表示して、ユーザによる更新した適応時間帯の確認を促す（ステップＳ４０６）。そして、ＣＰＵ２１は、更新した適応時間帯を省電力管理テーブル４０の液晶全省電力モードの適応時間帯として設定する（ステップＳ４０７）。
【０１０９】
これにより、省電力管理テーブル４０の液晶全省電力モードの適応時間帯から、携帯電話機の使用頻度が高い使用時間帯が除かれることになり、携帯電話機の使用頻度が高い使用時間帯での液晶全省電力モードの設定が不可能になり、携帯電話機の使い勝手が向上する。
【０１１０】
尚、適応時間帯の更新方法としては、適応時間帯から除かれる使用時間帯が該適応時間帯の開始時刻と終了時刻のいずれに近いかを判定し、より近い方の時刻から使用時間帯までを適応時間帯から除いても良い。あるいは、使用時間帯だけを適応時間帯から除いて、適応時間帯を分割しても構わない。
【０１１１】
また、使用頻度格納テーブル４１の各使用時間帯の使用回数として、初期設定値を予め設定しておき、各使用時間帯毎に、携帯電話機が使用されたときに初期設定値を１つだけカウントアップし、携帯電話機が使用されなかったときに初期設定値を１つだけカウントダウンしても良い。この場合は、使用頻度が高い使用時間帯だけではなく、使用頻度が低い使用時間帯を判別することが可能になるので、使用頻度が高い使用時間帯を適応時間帯から除くだけではなく、使用頻度が低い使用時間帯を適応時間帯に付加することも可能となる。
【０１１２】
更に、使用頻度格納テーブル４１の各使用時間帯の使用回数は、省電力管理テーブル４０の液晶全省電力モードの適応時間帯が更新されたときに（図８のステップＳ２２５）、初期化される（図８のステップＳ２２５）。
【０１１３】
この様に本実施例の携帯電話機では、液晶全省電力モードに対応する適応時間帯を入力設定することができ、計時時刻が該適応時間帯に入る間だけ、この適応時間帯に対応する液晶全省電力モードの設定を可能にしている。従って、適応時間帯として、携帯電話機が殆ど使用されない適応時間帯を入力設定しておけば、この適応時間帯には液晶全省電力モードが設定されることになり、携帯電話機の使い勝手を損なわずに、携帯電話機の大幅な省電力化を果たすことができる。
【０１１４】
また、周囲が暗いときには、計時時刻が適応時間帯に入るか否かにかかわらず、この適応時間帯に対応する液晶全省電力モードの設定を可能にしているので、携帯電話機の消費電力の低減が効果的に行なわれる。
【０１１５】
更に、携帯電話機の各使用時間帯の使用回数に応じて、適応時間帯を変更しているので、常に、適応時間帯を携帯電話機が殆ど使用されない時間帯に一致させることができ、液晶全省電力モードの適時な設定が可能となり、携帯電話機の使用勝手を損なわずに、大幅な省電力化が可能になる。
【０１１６】
また、デジタルカメラ１３の起動時には省電力モードの設定を禁止しているので、省電力モードの設定により撮影が中断してしまうことがない。
【０１１７】
尚、本発明は、上記実施例に限定されるものではなく、多様に変形することができる。例えば、ＬＣＤ１５及びバックライト１７の消費電力を低減しているが、他の部位の消費電力を低減して、省電力化を図っても構わない。また、適応時間帯として、開始時刻及び終了時刻を設定するだけではなく、曜日や月日別に、開始時刻及び終了時刻を設定しても良い。更に、本発明は、携帯電話機だけではなく、携帯情報端末装置（ＰＤＡ）等の電子装置にも適用することができる。
【図面の簡単な説明】
【０１１８】
【図１】本発明の実施例１である携帯電話機を示すブロック図である。
【図２】図１の携帯電話機におけるメモリに予め記憶されている各種のプログラム及びデータテーブルを例示する図である。
【図３】図２のメモリ内の入力監視プログラムによる処理を示すフローチャートである。
【図４】図２のメモリ内の省電力管理テーブルの構成を示す図である。
【図５】図４の省電力管理テーブルにおける省電力フラッグによって示される処理内容を示す図表である。
【図６】図２のメモリ内のバックライト省電力設定プログラムによる処理を示すフローチャートである。
【図７】図２のメモリ内の液晶部分省電力設定プログラムによる処理を示すフローチャートである。
【図８】図２のメモリ内の液晶全省電力設定プログラムによる処理を示すフローチャートである。
【図９】図２のメモリ内のバックライト省電力処理プログラムによる処理を示すフローチャートである。
【図１０】図２のメモリ内の液晶部分省電力処理プログラムによる処理を示すフローチャートである。
【図１１】図２のメモリ内の液晶全省電力処理プログラムによる処理を示すフローチャートである。
【図１２】図２のメモリ内の他の液晶全省電力処理プログラムによる処理を示すフローチャートである。
【図１３】（ａ）〜（ｄ）は、液晶部分省電力モードにおける液晶表示装置の画面状態の遷移を例示する図である。
【図１４】（ａ）及び（ｂ）は、バックライト省電力モード、液晶部分省電力モード、及び液晶全省電力モードの遷移過程を例示する図である。
【図１５】液晶全省電力モードが設定されないときのバックライト省電力モード及び液晶部分省電力モードの遷移過程を例示する図である。
【図１６】図２のメモリ内の使用頻度格納テーブルの構成を示す図である。
【図１７】図２のメモリ内の使用頻度認識プログラムによる処理を示すフローチャートである。
【符号の説明】
【０１１９】
１１  通信部
１２  計時部
１３  デジタルカメラ部
１４  受光素子
１５  液晶表示装置（ＬＣＤ）
１６  表示制御部
１７  バックライト
１８  バックライト制御部
１９  操作入力部
２０  メモリ
２１  中央処理装置（ＣＰＵ）
２２  ２次電池
【図１】
2005309751.tif 000003
【図２】
2005309751.tif 000004
【図３】
2005309751.tif 000005
【図４】
2005309751.tif 000006
【図５】
2005309751.tif 000007
【図６】
2005309751.tif 000008
【図７】
2005309751.tif 000009
【図８】
2005309751.tif 000010
【図９】
2005309751.tif 000011
【図１０】
2005309751.tif 000012
【図１１】
2005309751.tif 000013
【図１２】
2005309751.tif 000014
【図１３】
2005309751.tif 000015
【図１４】
2005309751.tif 000016
【図１５】
2005309751.tif 000017
【図１６】
2005309751.tif 000018
【図１７】
2005309751.tif 000019